(57)【要約】      （修正有）【課題】溶着性ビーズ玩具の集合体を作成して次の溶着性ビーズ玩具の集合体の作成を短時間で開始することができる溶着性ビーズ玩具用作成台を提供する。【解決手段】溶着性ビーズ玩具用作成台は、第一面と前記第一面とは反対側の第二面とを有し、前記第一面から前記第二面に亘って貫通する複数の貫通孔を備えて、前記第一面に溶着性ビーズ玩具が載置されるテーブル２０と、テーブル２０の前記第一面と対向するよう配置されて溶着性ビーズ玩具を受ける受面を備えるレシーバ１０と、を有する。【選択図】図２
2018191839.tif 000002
【特許請求の範囲】
【請求項１】
第一面と前記第一面とは反対側の第二面とを有し、前記第一面から前記第二面に亘って貫通する複数の貫通孔を備えて、前記第一面に溶着性ビーズ玩具が載置されるテーブルと、
前記テーブルの前記第一面と対向するよう配置されて、前記溶着性ビーズ玩具を受ける受面を備えるレシーバと、
を有することを特徴とする溶着性ビーズ玩具用作成台。
【請求項２】
前記テーブルの前記第二面側には、水受面を備えるトレイが設けられることを特徴とする請求項１に記載の溶着性ビーズ玩具用作成台。
【請求項３】
前記テーブルの前記第一面における前記貫通孔の孔縁には、隣接する前記貫通孔と接続される第一面側接続溝が形成されることを特徴とする請求項１又は請求項２に記載の溶着性ビーズ玩具用作成台。
【請求項４】
前記テーブルの前記貫通孔には、前記貫通孔と接続するよう前記貫通孔の軸方向に沿って形成される凹孔が設けられることを特徴とする請求項１乃至請求項３の何れか記載の溶着性ビーズ玩具用作成台。
【請求項５】
前記テーブルの前記第二面における前記貫通孔の孔縁には、隣接する前記貫通孔と接続される第二面側接続溝が形成されることを特徴とする請求項１乃至請求項４の何れか記載の溶着性ビーズ玩具用作成台。
【発明の詳細な説明】
【技術分野】
【０００１】
本発明は、溶着性ビーズ玩具を並べて溶着性ビーズ玩具の集合体を作成するための作成台に関する。
【背景技術】
【０００２】
従来から、溶着性ビーズ玩具用作成台に載置された溶着性ビーズ玩具の集合体を、完全に乾燥する前に取り外して次の溶着性ビーズ玩具の集合体を作成するための器具が開示されている。例えば、特許文献１には、平面視凹凸形状のヘラ部を備えた溶着性ビーズ玩具用スクレイパーが開示されている。
【０００３】
ここで、溶着性ビーズ玩具は、例えば、ポリビニルアルコールを樹脂に配合して混練して粒状に形成される。そして、溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【先行技術文献】
【特許文献】
【０００４】
【特許文献１】特許第６１０８６５０号公報
【発明の概要】
【発明が解決しようとする課題】
【０００５】
特許文献１に開示される溶着性ビーズ玩具用スクレイパーによれば、溶着性ビーズ玩具用作成台上の溶着性ビーズ玩具の集合体の表面をある程度乾燥させてから溶着性ビーズ玩具の集合体を溶着性ビーズ玩具用作成台から取り外して次の溶着性ビーズ玩具の集合体を作成することができる。しかしながら、溶着性ビーズ玩具の集合体を作成する子供は、溶着性ビーズ玩具の集合体の作成後、直ぐに別の溶着性ビーズ玩具の集合体を作成したい場合がある。
【０００６】
本発明は、次の溶着性ビーズ玩具の集合体の作成を短時間で開始することができる溶着性ビーズ玩具用作成台を提供することを目的とする。
【課題を解決するための手段】
【０００７】
本発明の一つの態様に係る溶着性ビーズ玩具用作成台は、第一面と前記第一面とは反対側の第二面とを有し、前記第一面から前記第二面に亘って複数の貫通孔を備えて、前記第一面に溶着性ビーズ玩具が載置されるテーブルと、前記テーブルの前記第一面と対向するよう配置されて、前記溶着性ビーズ玩具を受ける受面を備えるレシーバと、を有する。
【発明の効果】
【０００８】
本発明によれば、次の溶着性ビーズ玩具の集合体の作成を短時間で開始することができる。
【図面の簡単な説明】
【０００９】
【図１】本発明の実施形態に係る溶着性ビーズ玩具用作成台の外観斜視図である。
【図２】本発明の実施形態に係る溶着性ビーズ玩具用作成台の分解斜視図である。
【図３】本発明の実施形態に係る溶着性ビーズ玩具用作成台のレシーバ及びテーブルの裏面を示す斜視図である。
【図４】本発明の実施形態に係る溶着性ビーズ玩具用作成台の載置部の図２におけるＰ部に関する拡大図であり、（ａ）はＰ部の拡大平面図であり、（ｂ）はＰ部の拡大斜視図であり、（ｃ）は（ａ）のＩＶ（ｃ）−ＩＶ（ｃ）断面図である。
【図５】本発明の実施形態に係る溶着性ビーズ玩具用作成台の図３のＱ部拡大図である。
【図６】本発明の実施形態に係る溶着性ビーズ玩具用作成台の図３のＳ部拡大図である。
【図７】本発明の実施形態に係る溶着性ビーズ玩具用作成台により溶着性ビーズ玩具の集合体を作成する工程であり、溶着性ビーズ玩具をテーブルに載置する工程を示す斜視図である。
【図８】本発明の実施形態に係る溶着性ビーズ玩具用作成台により溶着性ビーズ玩具の集合体を作成する工程であり、溶着性ビーズ玩具のテーブルを反転してレシーバに溶着性ビーズ玩具の集合体を移行する工程を示す斜視図である。
【図９】本発明の実施形態に係る溶着性ビーズ玩具用作成台により溶着性ビーズ玩具の集合体を作成する工程であり、溶着性ビーズ玩具のテーブルを再度反転してトレイに戻した工程を示す斜視図である。
【図１０】本発明の実施形態に係る溶着性ビーズ玩具用作成台の変形例を示す斜視図である。
【発明を実施するための形態】
【００１０】
次に、図に基づいて本発明の実施形態を説明する。図１は溶着性ビーズ玩具用作成台１を示す斜視図であり、図２は溶着性ビーズ玩具用作成台１の分解斜視図である。溶着性ビーズ玩具用作成台１は、全体を略長矩形状とする略平板状とされる。溶着性ビーズ玩具用作成台１には、上から順に、レシーバ１０と、テーブル２０と、トレイ３０とが重なるようにして配置される。また、図３は、レシーバ１０及びテーブル２０を左右反転して裏面側から見た斜視図である。
【００１１】
図１及び図２に示すように、レシーバ１０は、略長矩形状とする略平板状とされる。レシーバ１０の両短辺部には、外方向に突出する平板状の取手１１が形成される。レシーバ１０の第一面である表面には、星形状や模様が施されている。これにより、子供が楽しく遊ぶことができる。図３に示すように、レシーバ１０の第一面とは反対側の第二面である裏面には、受面１２が形成される。後述するが、受面１２は、テーブル２０に載置された複数の溶着性ビーズ玩具６０（図７参照）を受ける面である。図６に図３のＳ部拡大図として示すように、受面１２には、略円形偏平状に形成される多数の突起１２ａが形成されている。突起１２ａは、隣り合う行及び列がオフセットするように配置される。また、図３に示すように、レシーバ１０の裏面における両短辺部には、壁部１３が立設する。各壁部１３の外側には、それぞれ２つの縦リブ１４が形成される。
【００１２】
図２に示すように、テーブル２０は、略長矩形状とする略平板状とされる。図２における右側の短辺部には、軸心をテーブル２０の短手方向と平行とする円柱状の軸２１が２箇所に形成される。各軸２１は、両長辺側近傍に形成される。一方、図２における左側（換言すれば、軸２１と反対側）の短辺部には、略平板状に外方向に突出する取手２２が形成される。
【００１３】
テーブル２０の第一面である表面には、溶着性ビーズ玩具６０（図７参照）が載置される載置部２３が形成される。載置部２３の外周には、表面から立設する壁部２４が形成される。これにより、溶着性ビーズ玩具６０が載置部２３上で転がってしまった場合でも、テーブル２０の外側に脱落してしまうことが低減される。そして、取手２２が形成される側の壁部２４には、両端近傍に凹部２４ａが形成される。また、凹部２４ａが形成される壁部２４の内面側には、２箇所に縦リブ２４ｂが形成される。さらに、凹部２４ａが設けられる壁部２４と対向する壁部２４（換言すれば、軸２１が設けられる側の壁部２４）には、凹部２４ａと対向する位置に、係合孔２４ｃが形成される。
【００１４】
ここで、図２におけるＰ部拡大図とされる図４（ａ）〜（ｃ）に示すように、テーブル２０の載置部２３には、第一面である表面から第一面の反対側の第二面である裏面に亘って貫通する複数の横断面略円形の貫通孔２５が形成される。そして、図４（ｃ）の断面に示すように、貫通孔２５の内周面２５ａは、第一面から第二面に掛けて漸次縮径するテーパ状に形成される。また、貫通孔２５は、テーブル２０に行及び列方向においてオフセットして配置される。なお、図４（ａ）における左右は、テーブル２０の短手方向として表される。
【００１５】
また、テーブル２０の第一面（表面）である載置部２３における貫通孔２５の孔縁２５ｂには、隣接する貫通孔２５と接続される第一面側接続溝２６が形成される。第一面側接続溝２６は、テーブル２０の短手方向（すなわち、図４（ａ）における左右方向）に隣接する貫通孔２５と接続し、直線状に形成される直線溝２６ａと、斜め方向に隣接する貫通孔２５と接続し、傾斜状に形成される傾斜溝２６ｂとから成る。さらに、貫通孔２５には、貫通孔２５の内周面から径外方向に凹状とされて、貫通孔２５の軸方向に沿って、第一面（表面）から第二面（裏面）に亘って貫通する凹孔２７が貫通孔２５の中心に対してテーブル２０の長手方向に対向する２箇所に設けられる。
【００１６】
図５に示すテーブル２０の第二面（裏面）の貫通孔２５の孔縁２８には、隣接する貫通孔２５と接続される第二面側接続溝２９が形成される。第二面側接続溝２９は、傾斜方向に隣り合う貫通孔２５同士を接続している。
【００１７】
テーブル２０の第二面（裏面）側に配置されるトレイ３０は、図２に示すように、略長矩形の略平板状に形成される。トレイ３０の第一面である表面側には、平坦面とされる略長矩形の水受面３１が形成される。水受面３１の外周の両長辺側と、図２における左側の短辺側には、水受面３１から立設する壁部３２が形成される。そして、水受面３１の図２における右側の短辺側には、短手方向に溝部３３が延在する。従って、テーブル２０に載置される溶着性ビーズ玩具６０に吹き付けられた水のうち、テーブル２０から下方に流れ落ちる余分な水は、水受面３１で受けられると共に、水受面３１で貯留され、壁部３２及び溝部３３により水受面３１の外側に水が飛散してしまうことが低減される。
【００１８】
さらに、水受面３１の両長辺側及び左側の短辺側の各壁部３２からは、水受面３１上に向けて３つの支持リブ３４が突出して形成される。また、溝部３３の外側には、両長辺側の壁部３２の内側近傍に、２つの軸受３５が形成される。軸受３５は、上方を開口する略Ｕ字状の溝状に形成される。軸受３５の開口端部には、軸押え突起３５ａが形成される。各軸受３５の下方には、外方向に向けて突出するように平板３６が形成される。
【００１９】
テーブル２０の各軸２１は、軸受３５の上方から挿入されて、各軸受３５により回動自在に支持され、一組のヒンジ部５が形成される。ヒンジ部５により、テーブル２０は、軸２１回りに回動する。このようにして、テーブル２０は、反転可能にトレイ３０に取り付けられる。そして、テーブル２０の第二面（裏面）は、トレイ３０の支持リブ３４により支持される。従って、テーブル２０の第二面（裏面）と水受面３１が対向するようテーブル２０がセットされている状態においては、テーブル２０の第二面（裏面）と水受面３１との間に間隙が形成されるため、テーブル２０から流れ落ちる水がスムーズに水受面３１に落下する。さらに、テーブル２０の第二面（裏面）には貫通孔２５の孔縁２８周りに第二面側接続溝２９が形成されているため、テーブル２０の第二面（裏面）が水の表面張力により水受面３１に貼りついてしまうことが低減される。
【００２０】
次に、図７〜図９に基づいて、溶着性ビーズ玩具用作成台１を用いて、溶着性ビーズ玩具６０の集合体を作成する手順を説明する。ここで、溶着性ビーズ玩具６０は公知のものが用いられる。例えば、溶着性ビーズ玩具６０は、ポリビニルアルコールを樹脂に配合して混錬して形成される。その形状は、本実施形態においては、真球形状の溶着性ビーズ玩具６０を示しているが、この他、多面体形状等に成形することもできる。また、種々の色の溶着性ビーズ玩具６０を用いることもできる。
【００２１】
先ず、図７に示すように、レシーバ１０をテーブル２０から取り外した状態として、テーブル２０の載置部２３における複数の貫通孔２５の孔縁２５ｂ上に複数の溶着性ビーズ玩具６０を載置して、任意の図柄を作成する。そして、霧吹き等により、載置部２３上に載置した複数の溶着性ビーズ玩具６０に対して十分な水を塗布する。
【００２２】
載置部２３に載置した複数の溶着性ビーズ玩具６０に十分水を塗布した後、レシーバ１０の受面１２がテーブル２０の第一面（表面）と対向するようにレシーバ１０をテーブル２０上に配置する。このとき、溶着性ビーズ玩具用作成台１は、図１のような状態となる。レシーバ１０のテーブル２０上への配置は、先ず、レシーバ１０の壁部１３の縦リブ１４をテーブル２０の係合孔２４ｃに挿入して、係合孔２４ｃに挿入した縦リブ１４と対向する縦リブ１４をテーブル２０の凹部２４ａに挿入する。このようにして配置したレシーバ１０は、長辺側の縁１０ａが、縁１０ａと対向するテーブル２０の長辺側の壁部２４の上端と当接し、レシーバ１０の壁部１３の端部はテーブル２０の第一面（表面）の上面に近接又は接触する。
【００２３】
そして、テーブル２０の取手２２側に配置されたレシーバ１０の壁部１３の外側面は、テーブル２０の縦リブ２４ｂと摺接される。このようにして、レシーバ１０のヒンジ部５側は固定されるため、テーブル２０を反転する工程においても、取手２２と、取手２２と対向する取手１１とを片手で併せ持てば、容易にレシーバ１０とテーブル２０を共に反転させることができる。さらに、トレイ３０には平板３６が形成されるため、レシーバ１０とテーブル２０の反転操作により誤ってトレイ３０も同方向に回動してしまうことが低減される。
【００２４】
レシーバ１０をテーブル２０上に配置したら、図８に示すように、テーブル２０を反転させる。そして、反転したテーブル２０をトレイ３０上に戻すと、図９に示すように、テーブル２０の載置部２３上の複数の溶着性ビーズ玩具６０は反転してレシーバ１０の受面１２上に移行する。レシーバ１０の受面１２上に載置された複数の溶着性ビーズ玩具６０は、レシーバ１０の突起１２ａで支持されるため、レシーバ１０の受面１２に強固に溶着することなく、受面１２上を滑らせるようにして受面１２から机上等に移動させて乾燥させることができる。このようにして、任意の形状の溶着性ビーズ玩具６０の集合体を作成することができる。そして、溶着性ビーズ玩具用作成台１によれば、複数の溶着性ビーズ玩具６０をテーブル２０の載置部２３上に載置して水を塗布した後、直ぐに複数の溶着性ビーズ玩具６０を載置部２３から取り外すことができるため、直ぐに次の溶着性ビーズ玩具６０の集合体の作成に取り掛かることができる。
【００２５】
また、テーブル２０の載置部２３における貫通孔２５の孔縁２５ｂは、第一面側接続溝２６（直線溝２６ａ、傾斜溝２６ｂ）や凹孔２７を施さない場合に比べて、溶着性ビーズ玩具６０と線接触して接触する長さが短い。そのため、テーブル２０の載置部２３に載置された複数の溶着性ビーズ玩具６０は、水の塗布後であっても載置部２３への溶着力が低減される。従って、テーブル２０の反転時におけるレシーバ１０の受面１２への溶着性ビーズ玩具６０の移行がし易い。さらに、第一面側接続溝２６（直線溝２６ａ、傾斜溝２６ｂ）により、塗布された水が第一面側接続溝２６を介して隣接した貫通孔２５にも流れるため、テーブル２０の水切り性が向上されている。そのうえさらに、貫通孔２５は、第一面側（表面側）から第二面側（裏面側）に亘って縮径するテーパ状に形成されるため、溶着性ビーズ玩具６０の糊状の成分を含んだ水であっても下方のトレイ３０の水受面３１に流れ落ち易い。
【００２６】
そして、複数の溶着性ビーズ玩具６０は、水の塗布後、乾燥する前に反転してテーブル２０から取り外されるため、溶着性ビーズ玩具６０の表側が先に乾燥してしまうことによる溶着性ビーズ玩具６０の集合体の反りが発生し難くなる。
【００２７】
以上のような本発明の実施形態によれば、下記の態様の溶着性ビーズ玩具用作成台を提供することができる。
【００２８】
第１の態様に係る溶着性ビーズ玩具用作成台は、第一面と前記第一面とは反対側の第二面とを有し、前記第一面から前記第二面に亘って貫通する複数の貫通孔を備えて、前記第一面に溶着性ビーズ玩具が載置されるテーブルと、前記テーブルの前記第一面と対向するよう配置されて前記溶着性ビーズ玩具を受ける受面を備えるレシーバと、を有する。
【００２９】
この構成によれば、テーブルに載置された溶着性ビーズ玩具の集合体をレシーバに反転して移行させることができるため、溶着性ビーズ玩具の集合体に水を塗布した後、直ぐにテーブルから溶着性ビーズ玩具の集合体を取り除くことができる。従って、次の溶着性ビーズ玩具の集合体の作成に短時間で取り掛かることができる溶着性ビーズ玩具用作成台を提供することができる。
【００３０】
第２の態様に係る溶着性ビーズ玩具用作成台は、前記テーブルの前記第二面側には、水受面を備えるトレイが設けられる。
【００３１】
この構成によれば、溶着性ビーズ玩具に塗布した水のうち、テーブルから下方に流れ落ちる余分な水をトレイで受けられるため、作成台を置いている机などが水で濡れてしまうことが防げる。
【００３２】
第３の態様に係る溶着性ビーズ玩具用作成台は、前記テーブルの前記第一面における前記貫通孔の孔縁には、隣接する前記貫通孔と接続される第一面側接続溝が形成される。
【００３３】
この構成によれば、多数の孔を介して効率よく水を流し落すことができるため、溶着性ビーズ玩具の集合体に塗布された水がテーブル上に残って、テーブルの反転時に飛散してしまうことが低減される。
【００３４】
第４の態様に係る溶着性ビーズ玩具用作成台は、前記テーブルの前記貫通孔には、前記貫通孔の軸方向に沿って形成される凹孔が設けられる。
【００３５】
この構成によれば、さらに効率よく水を流し落すことができるため、さらに溶着性ビーズ玩具の集合体に塗布された水がテーブル上に残ってしまうことが低減される。
【００３６】
第５の態様に係る溶着性ビーズ玩具用作成台は、前記テーブルの前記第二面における前記貫通孔の孔縁には、隣接する前記貫通孔と接続される前記第二面側接続溝が形成される。
【００３７】
この構成によれば、テーブルの第二面側（裏側）に配置される、例えばトレイの水受面と第二面側接続溝との間の間隙を大きくすることができるため、テーブルがトレイの水受面等に張り付いてしまうことが低減される。
【００３８】
以上、本発明の実施形態を説明したが、本発明は上記実施形態に限定されるものではなく、種々の変更を加えて実施することができる。例えば、トレイ３０を大型化して、複数のレシーバ１０及びテーブル２０を備える溶着性ビーズ玩具用作成台とすることもできる。図１０は、溶着性ビーズ玩具用作成台１の変形例を示し、それぞれ２つのレシーバ１０及びテーブル２０を備える溶着性ビーズ玩具用作成台１Ａを示す。溶着性ビーズ玩具用作成台１Ａは、全体を略長矩形状に形成して、外周を壁状に形成して、凹状の広い平坦面３３０が形成される。平坦面３３０には、各テーブル２０に対応して、２つの水受面３３１が形成される。
【００３９】
水受面３３１は平坦面３３０より高さが若干高い平坦な面である。水受面３３１には、テーブル２０の裏面を受ける複数の支持リブ３３４が設けられる。また、トレイ３００には、２組の軸受３５５が形成されて、テーブル２０の軸２１と共にヒンジ部５を形成する。なお、テーブル２０の凹部２４ａの外側面と対向する位置には、四角柱状のガイドブロック３２０が形成される。凹部２４ａの外側面は、ガイドブロック３２０と近接又は摺接する。そして、ガイドブロック３２０は、テーブル２０がヒンジ部５により回動してトレイ３００にセットされる際に、凹部２４ａの外側をガイドして、テーブル２０の使用時においてもテーブル２０のブレを防止する。このように、溶着性ビーズ玩具用作成台１Ａによれば、複数のテーブル２０を備えるため、さらに短時間で次の溶着性ビーズ玩具６０の作成に取り掛かることができると共に、複数人が同時に溶着性ビーズ玩具６０の集合体の作成を行うこともできる。
【００４０】
また、本実施形態によれば、テーブル２０は、ヒンジ部５により反転可能に形成したが、これに限られず、トレイ３０から取り外して反転するように形成する等他の構成とすることもできる。また、テーブル２０の貫通孔２５は、本実施形態では横断面略円形としたが、楕円形や長方形等としてもよい。
【符号の説明】
【００４１】
１，１Ａ      溶着性ビーズ玩具用作成台
５      ヒンジ部                  １０    レシーバ
１０ａ  縁                        １１    取手
１２    受面                      １２ａ  突起
１３    壁部                      １４    縦リブ
２０    テーブル                  ２１    軸
２２    取手                      ２３    載置部
２４    壁部                      ２４ａ  凹部
２４ｂ  縦リブ                    ２４ｃ  係合孔
２５    貫通孔                    ２５ａ  内周面
２５ｂ  孔縁                      ２６    第一面側接続溝
２６ａ  直線溝                    ２６ｂ  傾斜溝
２７    凹孔                      ２８    孔縁
２９    第二面側接続溝            ３０    トレイ
３１    水受面                    ３２    壁部
３３    溝部                      ３４    支持リブ
３５    軸受                      ３５ａ  軸押え突起
３６    平板                      ６０    溶着性ビーズ玩具
３００  トレイ                    ３２０  ガイドブロック
３３０  平坦面                    ３３１  水受面
３３４  支持リブ
【図１】
2018191839.tif 000003
【図２】
2018191839.tif 000004
【図３】
2018191839.tif 000005
【図４】
2018191839.tif 000006
【図５】
2018191839.tif 000007
【図６】
2018191839.tif 000008
【図７】
2018191839.tif 000009
【図８】
2018191839.tif 000010
【図９】
2018191839.tif 000011
【図１０】
2018191839.tif 000012
【手続補正書】
【提出日】平成30年2月8日(2018.2.8)
【手続補正１】
【補正対象書類名】特許請求の範囲
【補正対象項目名】請求項１
【補正方法】変更
【補正の内容】
【請求項１】
第一面と前記第一面とは反対側の第二面とを有し、前記第一面から前記第二面に亘って貫通する複数の貫通孔を備えて、前記第一面に溶着性ビーズ玩具が載置されるテーブルと、
前記テーブルの前記第一面と対向するよう配置されて、前記テーブルと共に反転させて前記溶着性ビーズ玩具を受けて前記溶着性ビーズ玩具を移動させて乾燥させる受面を備えるレシーバと、
を有することを特徴とする溶着性ビーズ玩具用作成台。
【手続補正２】
【補正対象書類名】明細書
【補正対象項目名】０００７
【補正方法】変更
【補正の内容】
【０００７】
本発明の一つの態様に係る溶着性ビーズ玩具用作成台は、第一面と前記第一面とは反対側の第二面とを有し、前記第一面から前記第二面に亘って複数の貫通孔を備えて、前記第一面に溶着性ビーズ玩具が載置されるテーブルと、前記テーブルの前記第一面と対向するよう配置されて、前記テーブルと共に反転させて前記溶着性ビーズ玩具を受けて前記溶着性ビーズ玩具を移動させて乾燥させる受面を備えるレシーバと、を有する。
【手続補正３】
【補正対象書類名】明細書
【補正対象項目名】００２８
【補正方法】変更
【補正の内容】
【００２８】
第１の態様に係る溶着性ビーズ玩具用作成台は、第一面と前記第一面とは反対側の第二面とを有し、前記第一面から前記第二面に亘って貫通する複数の貫通孔を備えて、前記第一面に溶着性ビーズ玩具が載置されるテーブルと、前記テーブルの前記第一面と対向するよう配置されて、前記テーブルと共に反転させて前記溶着性ビーズ玩具を受けて前記溶着性ビーズ玩具を移動させて乾燥させる受面を備えるレシーバと、を有する。